(57)【要約】【課題】夜間印字して気が付かないまま放置されることがなくなることや、機器周囲が明るくなると受信したデータを自動的に印字処理を行うことで利便性と機密性が両立できる通信装置を提供すること。【解決手段】本発明に係る通信装置は、少なくとも１つのネットワークに接続可能なネットワーク手段と、開閉可能な表示部を有する表示手段と、前記表示手段の開閉を検出する開閉検出手段と、装置周囲の照度を検出するセンサ手段と、前記ネットワークからのデータを受信するための受信手段と、前記受信したデータを記録する記録手段と、受信データ記録の可否を選択する記録選択手段を有することを特徴とする。【選択図】図２
2007005880.tif 000002
【特許請求の範囲】
【請求項１】
少なくとも１つのネットワークに接続可能なネットワーク手段と、開閉可能な表示部を有する表示手段と、前記表示手段の開閉を検出する開閉検出手段と、装置周囲の照度を検出するセンサ手段と、前記ネットワークからのデータを受信するための受信手段と、前記受信したデータを記録する記録手段と、受信データ記録の可否を選択する記録選択手段を有することを特徴とする通信装置。
【請求項２】
前記記録選択手段によりデータ記録するが選択されたとき、開閉検出手段により表示手段が開いていることを検出し、センサ手段が暗いと判断した場合、前記受信手段により受信したデータの記録処理を行わず、表示手段に対して受信データの表示処理を行うことを特徴とする請求項１記載の通信装置。
【請求項３】
前記記録選択手段によりデータ記録するが選択されたとき、開閉検出手段により表示手段が閉じていることを検出し、センサ手段が暗いと判断した場合、前記受信手段により受信したデータの記録処理及び表示手段への表示処理を行わないことを特徴とする請求項１記載の通信装置。
【請求項４】
前記記録選択手段によりデータ記録しないが選択されたとき、開閉検出手段により表示手段が開いていることを検出し、センサ手段が所定レベル以上明るくなったと判断した場合、前記受信手段により受信したデータの表示手段への表示処理を行うこと特徴とする請求項１記載の通信装置。
【請求項５】
前記記録選択手段によりデータ記録するが選択されたとき、センサ手段が暗い状態から明るくなったと判断した場合、前記受信手段により受信したデータの記録処理を開始することを特徴とする請求項１記載の通信装置。
【請求項６】
前記受信データの表示処理は、通常の明るいときの画像表示データとは異なる画像データを使用することを特徴とする請求項２記載の通信装置。
【発明の詳細な説明】
【技術分野】
【０００１】
本発明は、ユーザインタフェースを向上させるために照度センサ、キー入力手段及び表示手段を有し、コピー・スキャナ・ＦＡＸ機能を実現可能であり、特に公衆回線に発呼可能な電話機能を有するマルチファンクション端末に関するものである。
【背景技術】
【０００２】
特許文献１記載の機器操作部のように、ファクシミリ受信時、機器周辺の環境状態によりユーザに対して表示や音等による通知処理を行い、設定が印字であれば印字、メモリ受信であればメモリ受信を行っていた。
【特許文献１】特開２００１−１３６３３０号公報
【発明の開示】
【発明が解決しようとする課題】
【０００３】
しかしながら、特許文献１に記載された機器操作部では、機器周辺の環境により使用者に対して通知処理を変えるが、デフォルトで受信処理後記録紙への印字処理を行うため、夜間暗いときに印字動作がうるさかったり、暗くて印字されたことが分からないときや使用者がいないときに印字結果を装置に出力したままであり、機密上も問題があった。
【０００４】
本発明は上記問題に鑑みてなされたもので、その目的とする処は、利便性と機密性が両立できる通信装置を提供することにある。
【課題を解決するための手段】
【０００５】
上記目的を達成するため、請求項１記載の発明に係る通信装置は、少なくとも１つのネットワークに接続可能なネットワーク手段と、開閉可能な表示部を有する表示手段と、前記表示手段の開閉を検出する開閉検出手段と、装置周囲の照度を検出するセンサ手段と、前記ネットワークからのデータを受信するための受信手段と、前記受信したデータを記録する記録手段と、受信データ記録の可否を選択する記録選択手段を有することを特徴とする。
【０００６】
請求項２記載の発明は、請求項１記載の発明において、前記記録選択手段によりデータ記録するが選択されたとき、開閉検出手段により表示手段が開いていることを検出し、センサ手段が暗いと判断した場合、前記受信手段により受信したデータの記録処理を行わず、表示手段に対して受信データの表示処理を行うことを特徴とする。
【０００７】
請求項３記載の発明は、請求項１記載の発明において、前記記録選択手段によりデータ記録するが選択されたとき、開閉検出手段により表示手段が閉じていることを検出し、センサ手段が暗いと判断した場合、前記受信手段により受信したデータの記録処理及び表示手段への表示処理を行わないことを特徴とする。
【０００８】
請求項４記載の発明は、請求項１記載の発明において、前記記録選択手段によりデータ記録しないが選択されたとき、開閉検出手段により表示手段が開いていることを検出し、センサ手段が所定レベル以上明るくなったと判断した場合、前記受信手段により受信したデータの表示手段への表示処理を行うこと特徴とする。
【０００９】
請求項５記載の発明は、請求項１記載の発明において、前記記録選択手段によりデータ記録するが選択されたとき、センサ手段が暗い状態から明るくなったと判断した場合、前記受信手段により受信したデータの記録処理を開始することを特徴とする。
【００１０】
請求項６記載の発明は、請求項２記載の発明において、前記受信データの表示処理は、通常の明るいときの画像表示データとは異なる画像データを使用することを特徴とする。
【発明の効果】
【００１１】
本発明の通信装置では、照度センサにより機器周囲の明るさを検出し、表示部が開いているか閉じているかに応じて受信したデータを印字するかＬＣＤに表示するかを選択し、夜間暗いときにＬＣＤが開いている場合、印字処理を行わずＬＣＤに表示を行うことで、夜間印字して気が付かないまま放置されることがなくなることや、機器周囲が明るくなると受信したデータを自動的に印字処理を行うことで利便性と機密性が両立できる。
【発明を実施するための最良の形態】
【００１２】
次に、本発明の実施の形態について説明する。
【００１３】
図１は本発明の形態を説明するシステム構成である。
【００１４】
以下にシステムを構成する個々の端末を詳細に説明する。
【００１５】
１００は本発明の通信端末であり、電話機能及びブラウザ機能を搭載し、アナログ電話回線又はＩＳＤＮ等の公衆回線１０１と接続が可能である。１０２は通信端末１００と音声による通話を行うための相手端末。
【００１６】
又、回線はＬＡＮ等のネットワークで構成することも容易に考えられる。
【００１７】
図２は図１に示す１００の通信端末の内部構成を示した図面である。
【００１８】
本実施の形態は、公衆回線にアナログ回線、端末をファクシミリ装置で構成した場合について記載する。
【００１９】
又、図３は本実施の形態の通信端末１００のマンマシーンインタフェースを図示したものである。
【００２０】
図２及び図３を用いてハード構成の説明を行う。
【００２１】
主制御部２０１は、データバス２２３を介して各部との信号の入力を行い、この入力した信号に応じてデータバス２２３に接続された各構成要素を制御する。即ち、主制御部２０１は、ＲＯＭ２０２に格納された呼処理プログラムに従って通話に伴う呼処理や各種サービス機能に伴う処理を実行する。又、内部のＡ／Ｄコンバータを内蔵し、照度センサ２２５からのリニアなアナログ出力信号を監視し、レベルにより機器周囲の明るさの検出を行う。
【００２２】
ＲＯＭ２０２は、ＤＳＰ２０５を制御してのデータモデムによるメールの送受信、ファクシミリモデムとしてのＦＡＸ送受信、ＬＣＤへの表示、受信データの記録、照度センサの監視を実現するためのプログラムが格納されている。又、ＬＣＤへの画像データを記録しており、周囲が明るいときの画像データと、暗いときの画像データ等複数の画像データを有する。又、ＲＯＭ２０２はデータの書込み、消去が可能なＥ２ＰＲＯＭ又はフラッシュＲＯＭで構成されることが容易に考えられる。
【００２３】
ＲＡＭ２０３は、主制御部２０１が呼処理を含む各処理を実行するに当たって使用するメモリである。ここには、ＲＯＭ２０２と異なり、照度センサモードの設定や、ファクシミリ受信後印字処理を行うか行わないかを設定したりするための一時的なデータが記憶される。ＲＡＭ３０２は電池等でバックアップされ、作成した文字メッセージや受信した文字メッセージ、ファクシミリ受信データや各種サービス機能の設定内容や電話帳に登録した内容を記憶する。又、不揮発性のメモリとしてのＥ２ＰＲＯＭ等で構成されることも容易に考えられる。
【００２４】
通信処理部２０４は、公衆回線１０１を収容するためのインタフェースであり、アナログ回線の場合、局交換機の電話回線（以後、「加入者線」と称す）に接続され、ダイオードによる全波整流回路により構成され、回線電圧の極性を一致させるための極性一致回路、回路局交換機の加入者線に接続され、局交換機からの呼出信号を検出するリンガー検出回路、ハンドセット２０８又はオフフックキー３０３の押下によるのオフフック操作が行われると回線ループを形成するとともに、局に対してダイヤルパルスを送出するフックスイッチ回路、２線−４線変換を行うためのトランス回路で構成されている。本実施の形態においては、アナログ回線を基に記載しているが、ＩＳＤＮ、ＬＡＮ等のデジタルネットワークにおいて構成されることも容易に考えられる。
【００２５】
ＤＳＰ２０５は、デジタル信号処理プロセッサであり、機能的にはメールの送受信を行うためのデータモデム機能や、Ｇ３ＦＡＸによるファクシミリの送受信を行うファクシミリモデムの機能を主制御部２０１の制御により実現する。更に、モデムデータ（ナンバーディスプレイデータ）の解析を行うコーラＩＤの機能と、回線からのＤＴＭＦ信号を検出するための検出手段の機能を備えている。
【００２６】
音源部２０６は、保留音や着信メロディーの音源であり、内部に音源データを記憶しており、主制御部２０１の制御により音声合成等アナログ信号を出力する。又、ＤＴ，ＢＴ，ＲＢＴ等のコールプログレストーンを出力するための音源でもある。
【００２７】
２０７はアナログスイッチ部であり、主制御部２０１からの制御によりＤＳＰ２０５からの信号や後述する音源部２０６、ハンドセット２０８、スピーカ２０９等のアナログ入出力信号の通信処理部２０４への入出力の切り替えを行う。又、内部にアッテネータを有しアナログ信号のレベルを変換することが可能である。
【００２８】
２０８はハンドセットであり、音声の入出力を行う。２０９はスピーカであり、着信音や記憶した音声データの出力及びＦＡＸ通信時のモニタを行う。
【００２９】
２１０は無線部であり、制御データ及び音声信号を所定のフレームに汲み上げ変調し無線送信可能な形式に変換してアンテナに送ると共に、アンテナより無線受信した情報より復調されたデータを取り出し、制御データ及び音声データで構成される無線フレームを分解し、制御データは主制御部２０１に出力し、アナログ信号はクロスポイントスイッチ２０７に出力する。
【００３０】
２１１は感熱型、熱転写型プリンタ、或はレーザービームプリンタ、インクジェットプリンタ等の周知の印字手段を備えた記録部であり、ＭＨ，ＭＲ，ＭＭＲ符号化されたデジタルデータを複合化し、この復号化したデータを印字データとして印字を行う。
【００３１】
２１２は読取部であり、ＣＣＤ或は密着型センサアレイ等の周知の原稿読取手段を備えており、該読取部２１２は読取手段で読み取ったアナログデータをデジタルデータに変換するとともに、この変換されたデジタルデータをＭＨ，ＭＲ，ＭＭＲ等の周知の符号化方法により符号化し出力する。
【００３２】
２１３は原稿検出部であり、該検出部は読取部２１２上の送信原稿の有無を検出し、その結果を主制御部２０１に通知する。２２０で示されるブロックがオペレーションパネルとして１つのパーツとして構成されることが考えられる。
【００３３】
２１４は表示部であり、時刻の表示や通信中の回線状態及びエラー等の状態の表示や、受信したファクシミリデータの表示等を行い、液晶等構成される。
【００３４】
又、表示部２１４は、キー入力部２１５でキー入力された文字メッセージや受信した文字メッセージも表示する。更に、電話機の各種サービス機能の設定内容も表示する。
【００３５】
表示部２１４の内部構造は表示を行うための液晶パネル（ＴＦＴ，ＤＳＴＮ）、カラー表示を可能にするためのバックライト及びインバータより構成され、図４のように液晶画面を見る場合や選択キー３１０を制御するときには、表示部２１４を開く。液晶画面を見ない場合は、図５のように閉じた状態にする。
【００３６】
表示部２１４は、主制御部の設定により所定時間キー入力等が行われない場合、インバータやドライバを制御して表示を停止する。
【００３７】
キー入力部２１５は、ダイヤル番号やＵＲＬ等を０〜９及び＊、＃及び前記キーを利用し、アルファベットや記号等を入力するためのダイヤルキー３０８、ファクシミリの送受信を制御する送信キー３０４、受信キー３０５、回線のＯＮ／ＯＦＦを制御するオフフックキー３０３、留守番電話を設定するための留守番電話キー３０７、着信を鳴動させたくないときに押下する「おやすみ」キー３０２や機能設定を行うための機能キー３０１や、機能キー３０１の押下によりファクシミリ受信後、デフォルトで印字する・しないの設定や照度センサ機能のＯＮ／ＯＦＦ制御等の機能の選択モードに入ったときに、選択及びセットするためのセットキー３０９等の選択キー３１０から構成される。
【００３８】
２１６はフック検出部であり特にハンドセットのＯＮ／ＯＦＦを検出し回線ＯＮ／ＯＦＦを制御する。又、フックキーの検出を行い、通話の開始及び切断のオンフック／オフフック状態を検出する。
【００３９】
２１７はＤＳＰ２０５から出力されるアナログ信号及びＤＳＰ２０５に入力されるアナログ信号、２１８は通信処理部２０４から出力されアナログ信号及び通信処理部２０４に入力されるアナログ信号、２１９は音源部２０９より出力される保留音、ＤＴ，ＢＴ、ＲＢＴ等のコールプログレストーンや１６和音の着信メロディー、２２０はハンドセット２０８から出力されるアナログ信号及びハンドセット２０８に入力されるアナログ信号である。
【００４０】
又、２２１はスピーカ２０９に出力されるアナログ信号、２２２は無線部２１０から出力されるアナログ信号及び無線部２１０に入力されるアナログ信号である。
【００４１】
２２３はアドレス及びデータバスであり、主制御部２０１が各部の設定を行うために使用する。
【００４２】
２２４は表示部２１４が閉じているか開いているかを検出するための開閉検出部であり、表示部２１４が閉じられたときにはメカスイッチにより、スイッチが押されることで表示部２１４の開閉検出を行うことが可能である。
【００４３】
２２５は照度センサであり、周囲の明るさに比例してリニアにアナログ信号の出力を行う。
【００４４】
図６〜図８は本実施の形態の通信装置１００における照度センサモードの動作を示すフローチャートである。
【００４５】
以下、図２〜図８を用いて本実施の形態の動作を説明する。
【００４６】
図６は照度センサモード時、ファクシミリ受信後照度センサが周囲の明るさを判断するまでのフローを示す。
【００４７】
主制御部２０１は、待機処理中一定間隔で周辺回路の状態検出を行う（Ｓ１０１）。使用者が、キー入力部２１５を制御して、照度センサ２２５を用いて受信制御を行うか否かの選択が行われるかを監視する（Ｓ１０２）。照度センサモードが設定されない場合、ファクシミリを受信したときに印字するの設定があれば受信したファクシミリデータの印字処理を開始する。このとき、用紙が無い場合はメモリ受信を行う（Ｓ１０８）。
【００４８】
主制御部２０１は、キー入力部２１５の機能キー３０１が押下されると、表示部２１４に選択する機能の表示を行う。機能選択状態に入り、選択キー３１０で照度センサモードが選択されセットキー３０９で照度センサモードＯＮがセットされると、設定内容はＲＡＭ２０３に記録され照度センサモードが開始される。
【００４９】
主制御部２０１は照度センサモードが設定されていると表示部２１４が開かれている状態（図４）であるか、閉じられている状態（図５）であるかの検出を行う（Ｓ１０３）。
【００５０】
表示部２１４が閉じられていることを検出すると、主制御部２０１は、表示部２１４への表示処理を停止するとともにバックライトを消灯し、待機時の電力を低減するための処理を行う（Ｓ１０９）。省エネモードの設定が終了すると、主制御部２０１は、ＲＡＭ２０３に対してＬＣＤが閉じていることを示すフラグを設定する。
【００５１】
表示部２１４が開いていることを検出すると、主制御部２０１は、通信処理部２０４の監視を行い、回線からの着信があるかどうかの監視を行う（Ｓ１０４）。
【００５２】
回線１０２からの着信がない場合、制御部２０１は、ＲＡＭ２０３内のＬＣＤ閉じフラグの検出を行い、ＬＣＤ閉じフラグが立っている場合、待機時の処理へと移行する（Ｓ１１１）。ＬＣＤ閉じフラグが立っていない場合、表示部２１４は図４のようにＬＣＤが開いている状態であると判断し、タイマ計時処理を行い、所定時間が経過しているかの計時処理を行う（Ｓ１１２）。タイマ計時処理の結果、所定時間経過していない場合（Ｓ１１３）待機時の処理へと移行する。タイマ計時処理の結果所定時間が経過したことを主制御部２０１が検出した場合（Ｓ１１３）、表示部２１４のＬＣＤ表示及びバックライトをＯＦＦし、省エネモードへと移行する（Ｓ１１４）。
【００５３】
待機時、主制御部２０１が通信処理部２０４からの着信信号を検出すると（Ｓ１０４）、スイッチ部２０７のアナログパスを制御して音源部２０６より着信音を出力し、スイッチ部２０７を介してスピーカ２０９より着信音を鳴動させる。回線からの着信を複数回受けると、主制御部２０１は通信処理部２０４を制御して、直流ループを閉結し、回線からの着信に対して応答処理を行う。
【００５４】
上記自動応答処理後、回線からのアナログ信号２１８はスイッチ部２０７を介してＤＳＰ２０５に入力される。ＤＳＰ２０５では回線からのアナログ信号の解析を行い、ファクシミリの送信要求であるＣＮＧ信号を検出すると、ファクシミリ受信であることを認識し、Ｇ３プロトコルを用いた受信処理を開始する（Ｓ１０５）。主制御部２０１は、ＤＳＰ２０５の状態を監視し受信が完了したことを検出すると（Ｓ１０６）、照度センサ２２５の出力を検出し、機器の周囲が明るいか暗いかの判断を行う（Ｓ１０７）。
【００５５】
図７はファクシミリ受信後照度センサが機器周囲が明るいと判断した場合の動作フローチャートである。
【００５６】
主制御部２０１は照度センサ２２５の状態を検出し、機器の周囲が明るいということを検出すると、ＲＡＭ２０３内のフラグの設定を確認し、ファクシミリ受信後デフォルトで印字を行うか否かを判断する（Ｓ２０１）。ファクシミリ受信後、デフォルト印字処理を行う設定の場合（Ｓ２０１）、受信したファクシミリデータを印字するための処理を行い、ＲＡＭ２０３内のデータを復号化し、記録部２１１に対して出力を行い、印字処理を行う（Ｓ２１１）。
【００５７】
主制御部２０１は、ファクシミリ受信後、ＲＡＭ２０３内のフラグの設定を確認し、デフォルト印字処理を行わないと判断すると（Ｓ２０１）、ＲＡＭ２０３内のＬＣＤ閉フラグが立っているかを確認する（Ｓ２０２）。ＬＣＤ閉フラグが立っていることを確認すると、主制御部２０１は、ファクシミリを受信したことを受信キー３０５内のＬＥＤの点滅により使用者に通知するための処理を行う（Ｓ２１２）。
【００５８】
主制御部２０１は、ＬＣＤ閉じフラグが立っていないと判断すると（Ｓ２０２）、主制御部２０１は、表示部２１４が開いている（図５の状態）と判断し、受信したファクシミリデータを復調し、ＱＶＧＡ（３２０×２４０）のフォーマットに変換を行い、ＬＣＤに表示を行う。受信したファクシミリデータのＬＣＤへの表示処理にはディスプレイファクシミリとして一般的な方法を用いている（Ｓ２０３）。
【００５９】
前記表示処理が終了すると、主制御部２０１は、タイマ計時処理を行い所定時間が経過したかを監視する（Ｓ２０４）。所定時間が経過しない場合は開閉検出部２２４からの表示部２１４が閉じられた（図６の状態）ことを示す信号の検出を行う（Ｓ２１３）。表示部２１４が閉じられていない場合、主制御部２０１は表示部２１４への受信したファクシミリデータの表示を継続する。
【００６０】
主制御部２０１は、開閉検出部２２４からの表示部２１４が閉じられたことを示す信号を受信すると、ＲＡＭ２０３にＬＣＤ閉じフラグを設定し（Ｓ２１４）、表示部２１４のＬＣＤへのデータの転送とバックライトの点灯処理を停止する処理を行う（Ｓ２１５）。
【００６１】
主制御部２０１は、表示部２１４への表示が所定時間経過したことを検出すると、表示部２１４への表示処理を停止し（Ｓ２０５）、受信データがあることを示す受信キー３０５のＬＥＤを点滅させる（Ｓ２０６）。
【００６２】
上記処理後、主制御部２０１は照度センサ２２５の出力状態を検出し、照度が明るいことを示す信号に変化したかどうかの検出を行う（Ｓ２０７）。主制御部２０１は、照度センサ２２５の出力が一定レベル以上明るくなったことを示す方向に変化した場合（Ｓ２０７）、使用者が帰宅等で照明を点ける等の操作を行ったと判断し、再度表示部２１４へのファクシミリ受信データの表示処理を行う（Ｓ２０３）。
【００６３】
主制御部２０１は、照度センサ２２５の出力状態を検出し、機器の周囲の明るさが一定レベル以上暗くなった判断すると（Ｓ２０８）、後述する照度センサが暗い時の処理に切換える。
【００６４】
主制御部２０１は、照度センサ２２５の出力が一定レベル以上変化しない場合は、使用者により、表示部２１４の操作又はフック検出部２１６、原稿検出部２１３、キー入力部３０１〜３１０のキーが押下されるか検出を行う（Ｓ２０９）。
【００６５】
使用者により、何らかの制御処理が行われないと判断すると（Ｓ２０９）、主制御部２０１は、照度センサ２２５の出力状態を検出する処理を継続する（Ｓ２０７）。
【００６６】
主制御部２０１は、キー入力部３０１〜３１０の状態を監視し、使用者により何らかの機器制御が行われたと判断すると（Ｓ２０９）、表示部２１４に対して使用者の要望する表示処理を通常の表示処理を用いて行い（Ｓ２１０）、使用者の処理を促す。
【００６７】
図８はファクシミリ受信後照度センサが、機器周囲が暗いと判断した場合のフローチャートである。  
主制御部２０１は、照度センサ２２５の状態を検出し、機器の周囲が暗いということを検出すると、ＲＡＭ２０３内のフラグの設定を確認し、ファクシミリ受信後デフォルトで印字を行うか否かを判断する（Ｓ３０１）。
【００６８】
ファクシミリ受信後、デフォルト印字処理を行う設定の場合（Ｓ３０１）、主制御部２０１は、ＲＡＭ２０３内にデフォルト印字フラグを設定する（Ｓ３０２）。本設定により、機器の周囲が暗い時にはデフォルト印字の設定においても受信したファクシミリデータを印字する処理を行わない。
【００６９】
主制御部２０１は、ファクシミリ受信後、ＲＡＭ２０３内のフラグの設定を確認し、デフォルト印字処理を行わないと判断すると（Ｓ３０１）、ＲＡＭ２０３内のＬＣＤ閉フラグが立っているかを確認する（Ｓ３０３）。
【００７０】
ＬＣＤ閉フラグが立っていることを確認すると、主制御部２０１は、ＲＡＭ２０３に対してセンサモード動作中であることを確認し、センサモードで周囲が暗いときの受信であることのフラグをセットし（Ｓ３１５）、印字処理及びＬＣＤへの受信データの表示処理を行わず、受信キー３０５のＬＥＤのみ点滅処理を行う（Ｓ３１６）。
【００７１】
主制御部２０１は、該処理後、開閉検出部２２４からの表示部２１４が開かれたことを示す信号の検出を行う（Ｓ３１７）。主制御部２０１は、開閉検出部２２４からの信号で、表示部２１４が開かれたことを検出すると（Ｓ３１７）、ＲＡＭ２０３内のＬＣＤ閉じフラグをクリアし、機器の周囲が暗い時のＬＣＤへの表示処理を行う（Ｓ３０３，Ｓ３０４）。
【００７２】
主制御部２０１は、表示部２１４の状態が変化しない場合、照度センサ部２２５からの、機器周囲の明るくなったことを示す信号の監視を行う（Ｓ３１８）。周囲が明るくならない場合、ＬＥＤの点滅処理を継続する（Ｓ３１６）。照度センサ２２５からの出力を監視し、機器周囲の明るさが明るくなったことを検出すると（Ｓ３１８）、後述する印字処理（Ｓ３１０〜Ｓ３１４）を行う。
【００７３】
ＬＣＤ閉フラグが立っていないことを確認すると、主制御部２０１は、表示部２１４へのファクシミリ受信データの表示処理を行う（Ｓ３０４）。このとき、主制御部２０１は、照度センサ２２５の出力結果より、機器の周囲が暗いことから通常の機器の周囲が明るい時の表示ではなく、暗いときの表示処理を行う（３０５）。
【００７４】
暗いときの表示処理は、照度センサ２２５の出力結果を元に表示部２１４内のバックライトの明るさを段階的に明るさの調整を行ったり、ＲＯＭ２０２内の暗いときの画像データの表示処理を行う（Ｓ３０５）。暗いときの画像データは明るい時比較して、黒率の多い画像データを用いる。又、バックライトの調整は主制御部２０１内のＰＷＭ信号のデューティを変えることで明るさの調節は容易に可能である。
【００７５】
主制御部２０１は、ＬＣＤへの受信データの表示中所定時間の計時処理を行う（Ｓ３０６）。所定時間が経過しない場合は（Ｓ３０６）、使用者により表示部２１４の操作又はフック検出部２１６、原稿検出部２１３、キー入力部３０１〜３１０のキーが押下されるか検出を行う（Ｓ３１９）。
【００７６】
使用者により、何らかの制御処理が行われないと判断すると（Ｓ３１９）、主制御部２０１は、表示部２１４への照度センサ２２５が機器周囲が暗いと判断したときの受信データの表示処理を継続する（Ｓ３０５）。
【００７７】
主制御部２０１は、表示部２１４の操作又はフック検出部２１６、原稿検出部２１３、キー入力部３０１〜３１０の状態を監視し、使用者により何らかの機器制御が行われたと判断すると（Ｓ３１９）、表示部２１４に対して使用者の要望する表示処理をバックライトの光量を調整し、周囲の明るさに合わせた表示処理を用いて行い（Ｓ３１９）、使用者の処理を促す。このとき使用する画像データは暗いときの画像データではなく明るいときの画像データを使用する。
【００７８】
主制御部２０１は、暗いときの表示処理中所定時間が経過したことを検出すると（Ｓ３０６）、表示部２１４内のＬＣＤ及びバックライトを制御して表示処理を停止し（Ｓ３０７）、受信キー３０５内のＬＥＤのみ点滅させる処理を継続する（Ｓ３０８）。
【００７９】
主制御部２０１は、ＬＥＤの点滅処理後照度センサ２２５の出力信号を監視し、周囲が明るくなったかどうかの検出を行う（Ｓ３０９）。周囲が明るくなったことを検出しない場合は、所定時間の計時処理を継続し（Ｓ３０６）、ＬＣＤの表示停止（Ｓ３０７）とユーザ制御の検出処理（Ｓ３１９）を継続する。
【００８０】
主制御部２０１は照度センサ２２５の出力を監視し、機器の周囲が明るくなったことを検出すると、ＲＡＭ２０３内のデフォルト印字フラグの有無を検出する（Ｓ３１０）。主制御部２０１は、デフォルト印字フラグがない場合、図７の照度が明るいときの処理に切換える。
【００８１】
主制御部２０１は、ＲＡＭ２０３内にデフォルト印字フラグがある場合、表示部２１４に対してＬＣＤ及びバックライト制御を行い、印字開始する旨の表示処理を開始し（Ｓ３１１）、音源部２０６内の音源をスイッチ部２０７を介してスピーカより印字開始を示す音を出力する（Ｓ３１２）。通知音は単音から音声合成等であり、特に種類を規定するものではない。
【００８２】
該処理後、ＲＡＭ２０３内に記録したファクシミリ受信データを復号化し、記録部２１１にデータを転送して印字処理を行う（Ｓ３１３）。
【図面の簡単な説明】
【００８３】
【図１】本通信装置のシステム構成図である。
【図２】本発明で用いる通信装置の内部構成図である。
【図３】本発明のキー入力部の詳細図である。
【図４】本発明の通信装置の表示部が開いているときの図である。
【図５】本発明の通信装置の表示部が閉じているときの図である。
【図６】本発明の通信装置におけるデータ受信後照度センサが周囲の明るさを判断するまでのフローチャートである。
【図７】本発明の通信装置におけるデータ受信後照度センサが機器周囲が明るいと判断した場合の動作フローチャートである。
【図８】本発明の通信装置におけるデータ受信後照度センサが機器周囲が明暗いと判断した場合の動作フローチャートである。
【符号の説明】
【００８４】
２００  通信制御部
２０１  高速制御部
２０２  ＲＯＭ
２０３  ＲＡＭ
２０４  通信処理部
２０５  アナログスイッチ部
２０６  ハンドセット
２０７  スピーカ
２０８  音源部
２０９  ＵＳＢｉ／ｆ
２１０  切換部
２１１  本体電源
２１２  キー入力部
２１３  フック検出部
２１８  モデム
２１９  高速データバス
２２０  制御バス
２２４  開閉検出部
２２５  照度センサ
【図１】
2007005880.tif 000003
【図２】
2007005880.tif 000004
【図３】
2007005880.tif 000005
【図４】
2007005880.tif 000006
【図５】
2007005880.tif 000007
【図６】
2007005880.tif 000008
【図７】
2007005880.tif 000009
【図８】
2007005880.tif 000010